(57)【要約】【課題】ケーブルの差込作業性を向上させることのできるケーブル用コネクタを得る。【解決手段】ハウジング３の内方に長手方向に複数並設した第１コンタクト４の上側アーム部４ｈの先端部に、カバー６の開状態で、カバー６のケーブル差込口３ｄ側の先端６ｋよりもケーブル差込口３ｄ側に突出するケーブルガイド部１０を設けることで、先端が上方開口部３ｂ側にズレた状態でケーブル２をケーブル差込口３ｄから差し込んだ場合に、当該ケーブル２がカバー６の先端６ｋに干渉するのを抑制し、カバー６が閉じてしまうのを抑制できるようにした。【選択図】図４
2010049999.tif 000002
【特許請求の範囲】
【請求項１】
ケーブル差込口が形成され、当該ケーブル差込口から差し込まれたシート状のケーブルを受け入れるケーブル受入部を有するハウジングと、
前記ケーブル差込口から差し込んだ前記ケーブルの表面に対向する接点部が設けられた第１のアーム部と、前記ケーブル差込口から差し込んだ前記ケーブルの裏面に対向し、先端部に係合枢支部が設けられた第２のアーム部と、を有し、前記ハウジングの内方に固定保持されるコンタクトと、
前記係合枢支部が挿入される貫通穴と前記係合枢支部に係合するカム部とを有し、これら貫通穴とカム部とで前記係合枢支部に回動可能に支持されるとともに、閉状態で前記ケーブルを前記接点部に圧接するカバーと、を備えるケーブル用コネクタにおいて、
前記第２のアーム部の先端部には、前記カバーの開状態における当該カバーの前記ケーブル差込口側の先端よりも当該ケーブル差込口側に突出する突出部が設けられていることを特徴とするケーブル用コネクタ。
【請求項２】
前記突出部のケーブル差込口側かつ第１のアーム部に対向する側の隅部に、当該隅部を切り欠いた切欠面が形成されていることを特徴とする請求項１に記載のケーブル用コネクタ。
【発明の詳細な説明】
【技術分野】
【０００１】
本発明は、ケーブル用コネクタに関し、特に、フラットリボンケーブルやＦＰＣなどのケーブルを接続するのに適したケーブル用コネクタに関する。
【背景技術】
【０００２】
従来、ケーブル用コネクタとして、ケーブルを受け入れるハウジングの長手方向に２種類のコンタクトを所定のピッチで交互に固定保持するとともに、ハウジングに受け入れたケーブルを開閉式のカバー（アクチュエータ）によってコンタクトの接点部に圧接させるようにしたものが知られている（例えば、特許文献１参照）。
【０００３】
この特許文献１では、２種類のコンタクトには、ハウジングに受け入れたケーブルを挟むように上アーム部および下アーム部が形成されており、上アーム部の先端部にカバーが回動可能に支持されるとともに、下アーム部に接点部が設けられている。
【特許文献１】特開２００６−２４３７３号公報
【発明の開示】
【発明が解決しようとする課題】
【０００４】
しかしながら、かかる従来の技術では、カバーの後端部が、カバーの開状態においてカバーを回動支持するコンタクトの上アーム部の先端よりもケーブル差込口側に突出しているため、ケーブルを差し込む際に、ケーブルの先端がカバーの後端部に接触してしまい、ケーブルの挿入力によってカバーが回動して閉じてしまうおそれがあった。そのため、ケーブルの差し込み時にカバーを手で押さえておく必要があり、ケーブルの差込作業性が悪かった。
【０００５】
そこで、本発明は、ケーブルの差込作業性を向上させることのできるケーブル用コネクタを得ることを目的とする。
【課題を解決するための手段】
【０００６】
請求項１の発明にあっては、ケーブル差込口が形成され、当該ケーブル差込口から差し込まれたシート状のケーブルを受け入れるケーブル受入部を有するハウジングと、前記ケーブル差込口から差し込んだ前記ケーブルの表面に対向する接点部が設けられた第１のアーム部と、前記ケーブル差込口から差し込んだ前記ケーブルの裏面に対向し、先端部に係合枢支部が設けられた第２のアーム部と、を有し、前記ハウジングの内方に固定保持されるコンタクトと、前記係合枢支部が挿入される貫通穴と前記係合枢支部に係合するカム部とを有し、これら貫通穴とカム部とで前記係合枢支部に回動可能に支持されるとともに、閉状態で前記ケーブルを前記接点部に圧接するカバーと、を備えるケーブル用コネクタにおいて、前記第２のアーム部の先端部には、前記カバーの開状態における当該カバーの前記ケーブル差込口側の先端よりも当該ケーブル差込口側に突出する突出部が設けられていることを特徴とする。
【０００７】
請求項２の発明にあっては、請求項１に記載のケーブル用コネクタにおいて、前記突出部のケーブル差込口側かつ第１のアーム部に対向する側の隅部に、当該隅部を切り欠いた切欠面が形成されていることを特徴とする。
【発明の効果】
【０００８】
請求項１の発明によれば、カバーを回動可能に支持した第２のアーム部の先端部に突出部を設け、カバーの開状態で、突出部がカバーのケーブル差込口側の先端よりもケーブル差込口側に突出するようにしたため、ハウジングのケーブル差込口からケーブルを差し込む際に、ケーブルの先端がズレたとしても、当該ケーブルがカバーの先端と干渉してしまうのを抑制することができる。その結果、ケーブルの差し込み力がカバーに作用することが無くなるため、カバーが閉じられてしまうのを抑制することができる。これにより、ケーブルの差し込み時にカバーを押さえる必要がなくなるため、ケーブルの差込作業性を向上させることができるようになる。
【０００９】
請求項２の発明によれば、突出部のケーブル差込口側かつ第１のアーム部に対向する側の隅部に、当該隅部を切り欠いた切欠面を形成したため、カバーの開状態におけるケーブル差込口の開口面積を大きくすることができる。その結果、突出部によってケーブル差込口が必要以上に塞がれることがなくなるため、ケーブルの差し込み時の作業性をより向上させることができる。
【発明を実施するための最良の形態】
【００１０】
以下、本発明の実施形態について図面を参照しながら詳細に説明する。
【００１１】
図１は、本実施形態にかかるケーブル用コネクタの外観斜視図、図２は、ハウジングの平面図、図３は、カバーの正面図、図４は、第１コンタクトの断面図で、カバーを開いた状態を示す図、図５は、第１コンタクトの断面図で、カバーを閉じた状態を示す図、図６は、第２コンタクトの断面図で、カバーを開いた状態を示す図、図７は、第２コンタクトの断面図で、カバーを閉じた状態を示す図、図８は、第２のアーム部の先端部の拡大側面図、図９は、ケーブルがズレて差し込まれる状態を示すケーブル用コネクタの要部断面図である。
【００１２】
本実施形態にかかるケーブル用コネクタ１は、図１に示すように、ＦＰＣやＦＦＣなどの表面２ａと裏面２ｂを持つシート状のケーブル２が差し込まれるケーブル受入部３ａを有する絶縁性のハウジング３を備えている。そして、このハウジング３には、ケーブル受入部３ａの片面（本実施形態では上面）を開放した上方開口部３ｂが設けられている。
【００１３】
また、ハウジング３の内方には、導電性の第１コンタクト（コンタクト）４と第２コンタクト（コンタクト）５とが、ハウジング３の長手方向（図２における左右方向）に所定ピッチをもって交互に配列されて固定保持されている。
【００１４】
第１コンタクト４は、図４に示すように、上方開口部３ｂ側に配置される上側アーム部（第２のアーム部）４ｈと、上方開口部３ｂに対向する下壁３ｈ側に配置される下側アーム部（第１のアーム部）４ｇとを有しており、これら上側アーム部４ｈおよび下側アーム部４ｇが基部４ｆからケーブル差込口３ｄ側に向けて二股状に突出している。
【００１５】
また、第２コンタクト５は、図５に示すように、第１コンタクト４と同様に上方開口部３ｂ側に配置される上側アーム部（第２のアーム部）５ｈと、下壁３ｈ側に配置される下側アーム部（第１のアーム部）５ｇとを有しており、これら上側アーム部５ｈおよび下側アーム部５ｇが基部５ｆからケーブル差込口３ｄ側に向けて二股状に突出している。
【００１６】
そして、第１コンタクト４および第２コンタクト５の上側アーム部４ｈ、５ｈの先端部には、第１係合枢支部（係合枢支部）４ｂおよび第２係合枢支部（係合枢支部）５ｂがそれぞれ設けられているとともに、下側アーム部４ｇ、５ｇには、ケーブル差込口３ｄから差し込んだケーブル２の表面２ａに対向する第１接点部（接点部）４ａおよび第２接点部（接点部）５ａがそれぞれ設けられている。
【００１７】
さらに、上方開口部３ｂには、開閉可能な絶縁性のカバー６がハウジング３に対して回動可能に収容されており、図４、図６に示す開状態で、ケーブル差込口３ｄからケーブル２を差し込むことができるようにするとともに、図５、図７に示す閉状態で、ケーブル２の表面２ａを第１接点部４ａおよび第２接点部５ａに圧接させるようにしている。
【００１８】
ハウジング３は、合成樹脂等の絶縁材料で形成されており、ケーブル２を前方（図４において左側）から挿入する袋状のケーブル受入部３ａが上下略中間部に形成されている。また、ケーブル２の挿入端部の表面（図４における下面）には、所定の等ピッチで図示せぬ多数の導体が前後２列の千鳥状に露出している。
【００１９】
ハウジング３の上方開口部３ｂの長手方向両端部には、図１、図２に示すように、上方を開放した一対の軸受部３ｃが形成されており、これら一対の軸受部３ｃがハウジング３の長手方向に対向している。
【００２０】
カバー６は、ハウジング３の上方開口部３ｂに収容可能な板状の部材であり、このカバー６も合成樹脂等の絶縁材料で形成されている。そして、カバー６の左右両端面の基端部には枢支軸６ａがそれぞれ突出形成されている。本実施形態では、ハウジング３の上方よりカバー６の左右の枢支軸６ａをハウジング３の左右の軸受部３ｃに載置することで、ハウジング３の上方開口部３ｂにカバー６を開閉（回動）可能に取り付けている。
【００２１】
カバー６は、図４、図６に示す開位置から図５、図７に示す閉位置まで回動する。そして、カバー６が閉位置にある時には、カバー６は略水平姿勢となってハウジング３の上方開口部３ｂに収容され、ケーブル２を接点部４ａ、５ａの方向（図４中下方）に押圧する。他方、カバー６が開位置にある時には、ハウジング３の上方開口部３ｂから後傾の起立姿勢で立ち上がり、ケーブル受入部３ａの入口側略半分がハウジング３の上方に開放され、ハウジング３のケーブル差込口３ｄにケーブル２を挿入できるようになる。このカバー６には、カバー６を開操作するための取手部６ｉが設けられている。なお、本実施形態では、ハウジング３の上壁３ｇがカバー６の開方向への回動を規制するストッパとして機能している。
【００２２】
第１コンタクト４および第２コンタクト５は、ハウジング３の長手方向に沿って交互に配列されている。これら第１コンタクト４及び第２コンタクト５は、それぞれ薄板金属を打抜き加工して形成されている。
【００２３】
そして、第１コンタクト４と第２コンタクト５は、それぞれ相反する２方向からハウジング３に挿入され、固定保持される。具体的には、ハウジング３には、第１コンタクト４を１本ずつハウジング３の後方（奥側）から前方（入口側）、すなわち、ケーブル２の離脱方向（図４において右から左方向）に挿入するための多数の第１の穴３ｆと、第２コンタクト５をハウジング３の前方（入口側）から後方（奥側）、すなわち、ケーブル２の挿入方向（図６において左から右方向）に１本ずつ挿入するための多数の第２の穴３ｅとが、交互に、第１コンタクト４及び第２コンタクト５の配列ピッチに対応した所定の等ピッチでハウジング３の長手方向に形成されており、第１の穴３ｆと第２の穴３ｅを介して第１コンタクト４と第２コンタクト５とが、ハウジング３の内部に所定の等ピッチで長手方向に交互に並列するように取り付けられている。このように、第１コンタクト４と第２コンタクト５は、ハウジング３内への挿入量が調節できるようになっている。
【００２４】
第１コンタクト４は、ハウジング３のケーブル受入部３ａより奥側で上下壁３ｇ，３ｈの間に嵌合される基部４ｆと、基部４ｆの下端からハウジング３の下壁３ｈに沿って延出されてケーブル受入部３ａの下側に配設される下側アーム部４ｇと、基部４ｆの上端からハウジング３の上壁３ｇに沿って上方開口部３ｂまで延出されてケーブル受入部３ａの上側に配設される上側アーム部４ｈと、を備えている。
【００２５】
基部４ｆの上側縁部には、突起部４ｊが設けられており、第１の穴３ｆ内で突起部４ｊをハウジング３の上壁３ｇに形成した係合凹部３ｉに係止させることで第１コンタクト４をハウジング３に固定している。
【００２６】
また、基部４ｆの下縁から下向きにストッパ４ｃが突出形成されており、このストッパ４ｃが、第１コンタクト４をハウジング３の第１の穴３ｆに挿入する時の第１コンタクト４のハウジング３に対する最大挿入量を規制している。
【００２７】
さらに、ストッパ４ｃは、ケーブル用コネクタ１の下面に突出させる表面実装用のハンダ付け部を兼ねており、図４に示すように、下側アーム部４ｇの先端部から下方に向けて突出している。
【００２８】
下側アーム部４ｇには、その先端部に第１接点部４ａが形成されている。この下側アーム部４ｇは、弾性変形可能に形成されており、ケーブル２が挿入されると下方に弾性変形して上方付勢力が働くようになっている。
【００２９】
上側アーム部４ｈの先端部には、略鉤状の第１係合枢支部４ｂが上下方向に弾性変位可能に形成されて上方開口部３ｂに向けて突出している。本実施形態では、第１係合枢支部４ｂを、第１接点部４ａの位置よりもケーブル２の挿入方向側（図４において右側）に位置するように突出させている。また、本実施形態では、上側アーム部４ｈの先端部を第１カム部（カム部）６ｃを上方から取り巻くように鉤状に湾曲させることで第１係合枢支部４ｂを形成している。
【００３０】
第２コンタクト５は、ハウジング３のケーブル受入部３ａより奥側で上下壁３ｇ，３ｈの間に嵌合される基部５ｆと、基部５ｆの下端からハウジング３の下壁３ｈに沿って入口側前面まで延出されてケーブル受入部３ａの下側に配設される下側アーム部５ｇと、基部５ｆの上端からハウジング３の上壁３ｇに沿って上方開口部３ｂまで延出されてケーブル受入部３ａの上側に配設される上側アーム部５ｈと、を備えている。
【００３１】
基部５ｆの上側縁部には突起部５ｋが設けられており、第２の穴３ｅ内で当該突起部５ｋをハウジング３の上壁３ｇに形成した係合凹部３ｊに係止させることで第２コンタクト５をハウジング３に固定している。
【００３２】
下側アーム部５ｇには、略中間部に第２接点部５ａが形成されているとともに、先端部下縁から下向きにストッパ５ｃが突出形成されている。このストッパ５ｃが、第２コンタクト５をハウジング３の第２の穴３ｅに挿入する時の第２コンタクト５のハウジング３に対する最大挿入量を規制している。
【００３３】
また、このストッパ５ｃは、ケーブル用コネクタ１の下面に突出させる表面実装用の半田付け部を兼ねており、図６に示すように、下側アーム部５ｇの先端部から下方に向けて突出している。
【００３４】
上側アーム部５ｈの先端には、第１係合枢支部４ｂの根元部４ｉよりも厚い根元部５ｉを有する第２係合枢支部５ｂが上方開口部３ｂに向けて突出形成されている。そして、この第２係合枢支部５ｂは、根元部５ｉが厚い分、第１係合枢支部４ｂよりも上下方向に弾性変形しにくくなっている。
【００３５】
本実施形態では、図６，図７に示すように、第２コンタクト５の第２係合枢支部５ｂには、その先端部に、略円弧状をした突部５ｅが設けられており、この突部５ｅが、カバー６を開いた状態で、当該カバー６を係止している。また、第２係合枢支部５ｂの先端下部、すなわち、突部５ｅの下部には、段差状の係合面５ｄが形成されている。さらに、当該係合面５ｄの右側（ケーブル２の挿入方向側）には、段差状の当接面５ｊが形成されている。
【００３６】
そして、第１係合枢支部４ｂおよび第２係合枢支部５ｂを、第２接点部５ａの位置よりもケーブル２の離脱方向側（図４，図６において左側）に位置するように突出させている。
【００３７】
このように、第１コンタクト４および第２コンタクト５をハウジング３に装着した状態では、第１コンタクト４の第１接点部４ａと第２コンタクト５の第２接点部５ａとがハウジング３内でそれぞれ１列で整列することになる。この結果、ケーブル２の離脱方向側で１列に整列している第１コンタクト４の第１接点部４ａと、ケーブル２の挿入方向側で１列に整列している第２コンタクト５の第２接点部５ａと、によって、第１および第２接点部４ａ，５ａの全体が千鳥状に配列され、ケーブル２の表面に設けられ千鳥状に露出した多数の導体と接触できるようになっている。
【００３８】
また、本実施形態では、第１係合枢支部４ｂおよび第２係合枢支部５ｂは、ハウジング３内で、第１コンタクト４の第１接点部４ａの列と、第２コンタクト５の第２接点部５ａの列の間の上方位置に配置されている。
【００３９】
カバー６には、第１コンタクト４に設けた第１係合枢支部４ｂに対応するようにして、第１貫通穴（貫通穴）６ｂが設けられている。さらに、カバー６の第１貫通穴６ｂに隣接する位置には、カバー６の回動に伴って回動する第１カム部６ｃが形成されている。そして、第１コンタクト４の第１係合枢支部４ｂが、この第１カム部６ｃを係合することで、カバー６が第１係合枢支部４ｂに回動可能に支持されている。さらに本実施形態では、図４に示すように、第１コンタクト４の第１係合枢支部４ｂが、第１カム部６ｃを、カバー６がケーブル２の挿脱方向（ケーブル２の挿入方向および離脱方向）へ移動できるように、遊びを持たせて係合している。このように、第１カム部６ｃがケーブル２の挿脱方向に移動できるように遊びを持たせて係合することで、第１係合枢支部４ｂと第１カム部６ｃとの間に生じる摩擦力を低減させている。
【００４０】
また、カバー６が閉位置にある時に、ケーブル２の反対側を向くカバー６の外側面には、傾斜面６ｄが形成されている。そして、第１カム部６ｃの当該傾斜面６ｄに対応する位置にも傾斜面が設けられており、カバー６の傾斜面６ｄと第１カム部６ｃの傾斜面とが面一になるようにしている。
【００４１】
また、カバー６が閉位置にある時にケーブル２と対向するカバー６の内面側には、ケーブル２を下方に押圧するケーブル押圧部６ｈが形成されている。このケーブル押圧部６ｈは、カバー６の内面における各第１貫通穴６ｂの間にそれぞれ突出形成されている。
【００４２】
さらに、カバー６には、第２コンタクト５に設けた第２係合枢支部５ｂに対応するようにして、第２貫通穴（貫通穴）６ｅが設けられている。この第２貫通穴６ｅは、図３に示すように、ケーブル押圧部６ｈを刳り貫くようにして形成されている。そして、カバー６の第２貫通穴６ｅに隣接する位置には、カバー６の回動に伴って回動する第２カム部（カム部）６ｆが形成されている。そして、第２コンタクト５の第２係合枢支部５ｂが、この第２カム部６ｆを係合することで、カバー６が第２係合枢支部５ｂに回動可能に支持されている。
【００４３】
第２カム部６ｆには、カバー６を開いた際に係合面５ｄに係合する係合カム面６ｇが形成されるとともに、カバー６を閉じた際に当接面５ｊに当接する当接面６ｊが形成されており、カバー６の開閉に伴って第２カム部６ｆが、係合カム面６ｇを係合面５ｄに係合させた位置から、当接面６ｊを当接面５ｊに当接させた位置まで回動する。さらに、第２係合枢支部５ｂに段差状に設けた当接面５ｊによって、カバー６のケーブル２の挿入方向への移動および上方への移動が規制されている。
【００４４】
このように、本実施形態にかかるケーブル用コネクタ１では、図４、図５に示すように、カバー６を開状態としてケーブル２をケーブル差込口３ｄに差し込み、カバー６を図５、図７に示す閉状態まで回動させると、カバー６の下面のケーブル押圧部６ｈがケーブル２を下方の第１接点部４ａおよび第２接点部５ａ側に向けて押圧し、ケーブル２と第１接点部４ａおよび第２接点部５ａとの接点が適度の接圧で接触して電気的に接続されることとなる。すなわち、ケーブル２がカバー６の下面と第１接点部４ａおよび第２接点部５ａとの間に挟まれることになり、ケーブル２の厚さ分だけ下側アーム部４ｇが下方に弾性変形し、そのときの弾発力によって適度の接圧が得られるようになっている。
【００４５】
ここで、本実施形態では、図４に示すように、第１コンタクト４の上側アーム部４ｈの先端部には、カバー６の開状態において、カバー６のケーブル差込口３ｄ側の先端６ｋよりもケーブル差込口３ｄ側（図４中左方）に突出するケーブルガイド部（突出部）１０が設けられている。
【００４６】
具体的には、ケーブルガイド部１０は、図８に示すように、上側アーム部ｈの先端部を鉤状に湾曲して形成された第１係合枢支部４ｂの外周に肉盛部分１０ａを設けて厚肉化することにより形成されている。このとき、ケーブルガイド部１０の外周面が滑らかな円弧面となるように形成している。なお、図８に示す２点鎖線は、第１係合枢支部４ｂを等厚で形成した場合の外形線である。
【００４７】
また、本実施形態では、ケーブルガイド部１０のケーブル差込口３ｄ側かつ下側アーム部４ｇに対向する側（図４、図８において左側下部）の隅部Ｃには、当該隅部Ｃを斜めに切除した切欠面１１が形成されている。
【００４８】
ところで、ケーブルガイド部１０は、複数の第１コンタクト４の全てに設ける必要はなく、少なくとも２つの第１コンタクト４に設けてあればよい。
【００４９】
以上の本実施形態によれば、ハウジング３の長手方向に所定間隔をもって複数配置した第１コネクタ（コネクタ）４の上側アーム部（第２のアーム部）４ｈの先端部にケーブルガイド部（突出部）１０を設け、カバー６の開状態で、ケーブルガイド部１０がカバー６のケーブル差込口３ｄ側の先端よりもケーブル差込口３ｄ側に突出するようにしたため、図９に示すように、ハウジング３のケーブル差込口３ｄからケーブル２を差し込む際に、ケーブル２の先端が上方開口部３ｂ側にズレたとしても、ケーブル２の先端が先ずケーブルガイド部１０に接触し、ケーブル２がカバー６の先端６ｋと干渉してしまうのを抑制することができる。
【００５０】
すなわち、本実施形態によれば、ケーブル２はカバー６の先端に干渉することなく上側アーム部４ｈのケーブルガイド部１０に接触した後にケーブル受入部３ａ内に案内されることになる。このように、ケーブル２の差し込み力がカバー６に作用することなく、ケーブル２をケーブル受入部３ａ内に受け入れることができるようになるため、カバー６が閉じられることなく、ケーブル２の差し込み作業を行うことができるようになる。その結果、ケーブル２の差し込み時にカバー６を押さえるという動作が不要となるため、ケーブル２の差込作業性を向上させることができる。
【００５１】
また、本実施形態によれば、ケーブルガイド部１０のケーブル差込口３ｄ側かつ下側アーム部４ｇに対向する側の隅部Ｃに、当該隅部Ｃを切り欠いた切欠面１１を形成したため、カバー６の開状態におけるケーブル差込口３ｄの開口面積をより大きくすることができる。その結果、ケーブルガイド部１０によってケーブル差込口３ｄが必要以上に塞がれることがなくなるため、ケーブル２の差し込み時の作業性をより向上させることができる。
【００５２】
さらに、本実施形態では、ケーブルガイド部１０の外周面を滑らかな円弧面とすることで、ケーブルガイド部１０に接触したケーブル２をケーブル受入部３ａ内にスムーズに案内することができるようになるという利点もある。
【００５３】
以上、本発明の好適な実施形態について説明したが、本発明は上記実施形態に限定されるものではなく、種々の変形が可能である。
【００５４】
例えば、上記実施形態では第１コンタクトにケーブルガイド部を設けた場合を例示したが、ケーブルガイド部を第１コンタクトではなく第２コンタクトに設けることもできるし、第１コンタクトおよび第２コンタクトの両方に設けることもできる。
【図面の簡単な説明】
【００５５】
【図１】本発明の一実施形態にかかるケーブル用コネクタの外観斜視図である。
【図２】本発明の一実施形態にかかるケーブル用コネクタのハウジングの平面図である。
【図３】本発明の一実施形態にかかるケーブル用コネクタのカバーの正面図である。
【図４】本発明の一実施形態にかかるケーブル用コネクタの第１コンタクトの断面図で、カバーを開いた状態を示す図である。
【図５】本発明の一実施形態にかかるケーブル用コネクタの第１コンタクトの断面図で、カバーを閉じた状態を示す図である。
【図６】本発明の一実施形態にかかるケーブル用コネクタの第２コンタクトの断面図で、カバーを開いた状態を示す図である。
【図７】本発明の一実施形態にかかるケーブル用コネクタの第２コンタクトの断面図で、カバーを閉じた状態を示す図である。
【図８】本発明の一実施形態にかかる第２のアーム部の先端部の拡大側面図である。
【図９】本発明の一実施形態にかかるケーブルがズレて差し込まれる状態を示すケーブル用コネクタの要部断面図である。
【符号の説明】
【００５６】
１  ケーブル用コネクタ
２  ケーブル
２ａ  ケーブルの表面
２ｂ  ケーブルの裏面
３  ハウジング
３ａ  ケーブル受入部
３ｄ  ケーブル差込口
４  第１コンタクト（コンタクト）
４ａ  第１接点部（接点部）
４ｂ  第１係合枢支部（係合枢支部）
４ｇ  下側アーム部（第１のアーム部）
４ｈ  上側アーム部（第２のアーム部）
５  第２コンタクト（コンタクト）
５ａ  第２接点部（接点部）
５ｂ  第２係合枢支部（係合枢支部）
５ｇ  下側アーム部（第１のアーム部）
５ｈ  上側アーム部（第２のアーム部）
６  カバー
６ｂ  第１貫通穴（貫通穴）
６ｃ  第１カム部（カム部）
６ｅ  第２貫通穴（貫通穴）
６ｆ  第２カム部（カム部）
６ｋ  カバーの先端
１０  ケーブルガイド部（突出部）
１１  切欠面
【図１】
2010049999.tif 000003
【図２】
2010049999.tif 000004
【図３】
2010049999.tif 000005
【図４】
2010049999.tif 000006
【図５】
2010049999.tif 000007
【図６】
2010049999.tif 000008
【図７】
2010049999.tif 000009
【図８】
2010049999.tif 000010
【図９】
2010049999.tif 000011